【手続補正書】
【提出日】平成15年10月24日(2003.10.24)
【手続補正１】
【補正対象書類名】明細書
【補正対象項目名】００５５
【補正方法】変更
【補正の内容】
【００５５】
ＮＶ＿ＰＣＫのＰＣＩには、図８（ｂ）に示すように、ＰＣＩ全般の管理情報が含まれるPCI General Information（ＰＣＩ＿ＧＩ）と、ノンシームレスの場合のアングル切換情報が含まれるAngle Information for non-seamless（ＮＳＭＬ＿ＡＧＬＩ）と、副映像等を表示する際に所定領域にハイライト表示をする為の情報が含まれるHighlight Information（ＨＬＩ）と、主映像データ，副映像データ及び音声データのレコーディング情報が含まれるRecording Information（ＲＥＣＩ）とが含まれている。


【手続補正２】
【補正対象書類名】明細書
【補正対象項目名】００５７
【補正方法】変更
【補正の内容】
【００５７】
ＮＶ＿ＰＣＫ＿ＬＢＮには、このＮＶ＿ＰＣＫのアドレスが示されている。ＶＯＢＵ＿ＣＡＴには、このＶＯＢＵのカテゴリが示されている。ＶＯＢＵ＿ＵＯＰ＿ＣＴＬには、ユーザーオペレーションの制御情報が示されている。ＶＯＢＵ＿Ｓ＿ＰＴＭには、このＶＯＢＵ内の最初のＧＯＰの表示のスタート時間が示されている。ＶＯＢＵ＿Ｅ＿ＰＴＭには、このＶＯＢＵ内の最後のＧＯＰの表示の終了時間が示されている。ＶＯＢＵ＿ＳＥ＿Ｅ＿ＰＴＭには、このＶＯＢＵで主映像データが途切れることが示されている。Ｃ＿ＥＬＴＭには、このＶＯＢＵが含まれるＣｅｌｌの先頭からの経過時間が示されている。このＣ＿ＥＬＴＭに基づきディスプレイに経過時間等が表示できる。


【手続補正３】
【補正対象書類名】明細書
【補正対象項目名】００６０
【補正方法】変更
【補正の内容】
【００６０】
ＮＶ＿ＰＣＫ＿ＳＣＲには、システムクロックの基準が示されている。ＮＶ＿ＰＣＫ＿ＬＢＮには、このＮＶ＿ＰＣＫのアドレスが示されている。ＶＯＢＵ＿ＥＡには、このＶＯＢＵのエンドアドレスが示されている。ＶＯＢＵ＿１ＳＴＲＥＦ＿ＥＡには、このＶＯＢＵの最初のＩ−Ｐｉｃｔｕｒｅの終了アドレスが示されている。なお、ＶＯＢＵにＩ−Ｐｉｃｔｕｒｅが無い場合には、このデータは、０となる。ＶＯＢＵ＿２ＮＤＲＥＦ＿ＥＡには、このＶＯＢＵの最初から２番目のＩ−Ｐｉｃｔｕｒｅ又はＰ−Ｐｉｃｔｕｒｅの終了アドレスが示されている。なお、ＶＯＢＵに２枚のＩ−Ｐｉｃｔｕｒｅ又はＰ−Ｐｉｃｔｕｒｅが無い場合には、このデータは、０となる。ＶＯＢＵ＿３ＲＤＲＥＦ＿ＥＡには、このＶＯＢＵの最初から３番目のＩ−Ｐｉｃｔｕｒｅ又はＰ−Ｐｉｃｔｕｒｅの終了アドレスが示されている。なお、ＶＯＢＵに３枚のＩ−Ｐｉｃｔｕｒｅ又はＰ−Ｐｉｃｔｕｒｅが無い場合には、このデータは、０となる。ＶＯＢＵ＿ＶＯＢ＿ＩＤＮには、このＶＯＢＵのＩＤ番号が示されている。ＶＯＢＵ＿Ｃ＿ＩＤＮには、このＶＯＢＵが含まれるＣｅｌｌのＩＤ番号が示されている。Ｃ＿ＥＬＴＭには、ＰＣＩと同様に、このＶＯＢＵが含まれるＣｅｌｌの先頭からの経過時間が示されている。


【手続補正４】
【補正対象書類名】明細書
【補正対象項目名】００６３
【補正方法】変更
【補正の内容】
【００６３】
ＦＷＤＩｎには、このＶＯＢＵから時間軸方向に先のＶＯＢＵのアドレスが示されている。ここで、添字のｎは、時間を表しており、実際には、ｎ×０．５秒の単位である。つまり、３０秒先のＶＯＢＵのアドレスは、ＦＷＤＩ６０に示されている。同様に、ＢＷＤＩｎには、このＶＯＢＵから時間軸方向に前のＶＯＢＵのアドレスが示されている。添字のｎは、ＦＷＤＩと同一である。なお、同一のＣｅｌｌ内に、所定時間以降の或いは所定時間以前のＶＯＢＵが無い場合は、このアドレスを示すデータの下３０ｂｉｔはすべて１となる（なお、このＶＯＢＵのアドレスを示すデータは、４Ｂｙｔｅで示されている。）。例えば、Ｃｅｌｌの一番最初のＶＯＢＵであれば、それ以前のＶＯＢＵはこのＶＯＢＵ＿ＳＲＩには示されないため各ＢＷＤＩのアドレスを示すデータは、３ＦＦＦＦＦＦＦとなる。また、Ｃｅｌｌの一番最後のＶＯＢＵであれば、各ＦＷＤＩのアドレスを示すデータは、３ＦＦＦＦＦＦＦとなる。


【手続補正５】
【補正対象書類名】明細書
【補正対象項目名】００７６
【補正方法】変更
【補正の内容】
【００７６】
ステップＳ１０１において、コントローラ１１は、ＮＶ＿ＰＣＫ＿ＬＢＮとＣ＿ＬＶＯＢＵ＿ＳＡ（Ｃｎ）とが同一であるどうかを判断する。すなわち、現在のＶＯＢＵのＮＶ＿ＰＣＫのアドレスと、Ｃｅｌｌの最後のＶＯＢＵのアドレスとを比較して、現在のＶＯＢＵがＣｅｌｌの最後のＶＯＢＵであるかどうかを判断する。現在のＶＯＢＵがＣｅｌｌの最後のＶＯＢＵであればステップＳ１０２に進み、Ｃｅｌｌの最後のＶＯＢＵでなければステップＳ１０５に進む。


【手続補正６】
【補正対象書類名】明細書
【補正対象項目名】０１０９
【補正方法】変更
【補正の内容】
【０１０９】
ステップＳ３０２において、このＶＯＢＵの中に何枚のＩ−Ｐｉｃｔｕｒｅ又はＰ−Ｐｉｃｔｕｒｅがあるか判断をする。このステップＳ３０２の処理は、上述したデータデコーダ４におけるステップＳ２０３の処理と同一である。ＶＯＢＵ内にＩ−Ｐｉｃｔｕｒｅ又はＰ−Ｐｉｃｔｕｒｅが１枚も無い場合にはステップＳ３０３に進み、少なくとも１枚以上ある場合にはステップＳ３０４に進む。ステップＳ３０３において、ＮＶ＿ＰＣＫのＣ＿ＥＬＴＭを検出して、タイムコードを更新する。このステップＳ３０３では、新たに映像データの復号処理を行わないが、このビデオデコーダ６から出力されている（或いは表示されてる）映像データは、この時に時間的に前の処理で出力した画像が出力されていることとなるため、表示画像は静止画像となる。すなわち、映像データが存在しないいわゆるビデオギャップの状態のときは、映像が途切れる直前の映像が出力されながら時間情報のみが更新していくこととなる。


【手続補正７】
【補正対象書類名】明細書
【補正対象項目名】０１１４
【補正方法】変更
【補正の内容】
【０１１４】
また、ステップＳ３０５において、コントローラ１１はＮＶ＿ＰＣＫのＶＯＢＵ＿ＳＥ＿Ｅ＿ＰＴＭを取得して、このＶＯＢＵで映像が途切れるかどうかを判断する。すなわち、このＶＯＢＵからビデオギャップが生じるどうかを判断する。ＶＯＢＵ＿ＳＥ＿Ｅ＿ＰＴＭにより主映像が途切れると判断した場合には、主映像が途切れる直前の画像まで復号する。そして、復号した画像は、メモリに格納され、出力処理がされる。従って、このステップＳ３０５で主映像が途切れる直前の映像データまでを復号するので、いわゆるビデオギャップが生じたときは、その直前の映像を表示してＦＷＤ−Ｓｃａｎをすることができる。


【手続補正８】
【補正対象書類名】明細書
【補正対象項目名】０１２６
【補正方法】変更
【補正の内容】
【０１２６】
一方、ステップＳ４０７において、現在のＶＯＢＵのＮＶ＿ＰＣＫにおけるＶＯＢＵ＿ＳＲＩを参照して、スキャン先のＶＯＢＵが現在のＣｅｌｌの中に存在するかどうかを判断する。すなわち、ＶＯＢＵ＿ＳＲＩのＢＷＤＩｎの下３０ｂｉｔがすべて１であれば、そのＶＯＢＵはＣｅｌｌの中に存在しない。スキャン先のＶＯＢＵがＣｅｌｌの中に無ければステップＳ４０８に進み、ＶＯＢＵがＣｅｌｌの中にあればステップＳ４０９に進む。


【手続補正９】
【補正対象書類名】明細書
【補正対象項目名】０１３８
【補正方法】変更
【補正の内容】
【０１３８】
また、このステップＳ４１２からＳ４１４のループにおいて、ｎを１ステップずつ繰り下げていって映像データが存在すれば、Ｖ＿ＢＷＤ＿Ｅｘｉｓｔ２（ＢＷＤＩ（ｎ））＝１となりステップＳ４１３からループを抜けてステップＳ４１６に進み、ステップＳ４１６においてｎから１を引いてステップＳ４１７に進み、ＳＡを設定する。なお、このときはｎが変動しているので、このスキャン間隔ｎは、ステップＳ４０１で最初のスキャン間隔ｎに設定しなおされる。


【手続補正１０】
【補正対象書類名】明細書
【補正対象項目名】０１４５
【補正方法】変更
【補正の内容】
【０１４５】
従って、このステップＳ５０４で主映像が途切れるときは、この主映像データを最後までデマルチプレクサ５に供給するため、いわゆるビデオギャップが生じたときは、その直前の映像を表示してＢＷＤ−Ｓｃａｎをすることができる。


【手続補正１１】
【補正対象書類名】明細書
【補正対象項目名】０１６０
【補正方法】変更
【補正の内容】
【０１６０】
一方、ステップＳ６０５において、ＮＶ＿ＰＣＫのＶＯＢＵ＿ＳＥ＿Ｅ＿ＰＴＭを取得して、このＶＯＢＵで映像が途切れるかどうかを判断する。すなわち、このＶＯＢＵからビデオギャップが生じるどうかを判断する。ＶＯＢＵ＿ＳＥ＿Ｅ＿ＰＴＭにより主映像が途切れると判断した場合にはステップＳ６０８に進み、主映像が途切れないと判断した場合にはステップＳ６０６に進む。


【手続補正１２】
【補正対象書類名】明細書
【補正対象項目名】０１６４
【補正方法】変更
【補正の内容】
【０１６４】
一方、ステップＳ６０８において、主映像が途切れる直前の画像まで復号する。そして、復号した画像は、メモリに格納され、ステップＳ６０９において出力処理がされる。従って、このステップＳ６０８で主映像が途切れる直前の映像データまでを復号するので、いわゆるビデオギャップが生じたときは、その直前の映像を表示してＢＷＤ−Ｓｃａｎをすることができる。


【手続補正１３】
【補正対象書類名】図面
【補正対象項目名】図１４
【補正方法】変更
【補正の内容】
【図１４】
1998271444.tif 000001